(57)【要約】【課題】消化管の機能を改善し得る、マッサージ装置を提供する。【解決手段】回転駆動手段２の回転軸４ａに横方向に設けられた所定の長さの棒状体３を備え、棒状体３を腹部にあて、回転駆動手段２を所定の回転数で駆動させる。【選択図】図１
2004180863.tif 000002
【特許請求の範囲】
【請求項１】
回転駆動手段の回転軸に横方向に設けられた所定の長さの棒状体を備え、前記棒状体を腹部にあて、回転駆動手段を所定の回転数で駆動させる、マッサージ装置。
【請求項２】
前記棒状体に回転可能にリング体を更に備える、請求項１に記載のマッサージ装置。
【請求項３】
前記回転駆動手段が高さ変更可能に支柱に取り付けられるようになっている、請求項１又は請求項２に記載のマッサージ装置。
【請求項４】
前記棒状体の上下動を可能にする弾性体を備える、請求項１〜４のいずれかに記載のマッサージ装置。
【請求項５】
前記棒状体の回転方向が、腸の煽動運動の方向である、請求項１〜５のいずれかに記載のマッサージ装置。
【発明の詳細な説明】
【０００１】
【発明の属する技術分野】
本発明は、マッサージ装置に関し、特に、消化管の機能を改善し得る、マッサージ装置に関する。
【０００２】
【従来の技術】
リラクゼーションを目的としたマッサージ装置としては、凝りをほぐす電動式アームチェアその他のマッサージ装置が市販されている。
【０００３】
【発明が解決しようとする課題】
しかしながら、従来のマッサージ装置は、筋肉の凝りをとることを主眼にしており、本発明者の知る限り、消化管の機能改善を首目的という問題がある。
【０００４】
本発明は、以上のような問題を解決するためになされたものであり、消化管の機能改善を首目的としたマッサージ装置を提供することを目的としている。
【０００５】
【課題を解決するための手段】
本発明者は、幼少時代、お腹の調子が悪い時に、母親にお腹をさすってもらったらお腹の調子が良くなったという記憶に基づいて、消化管に外力を加えれば、消化管の機能を改善し、リラクゼーション効果が得られるということを知見し、鋭意努力した結果、本発明を完成するに至った。
【０００６】
請求項１に記載のマッサージ装置は、回転駆動手段の回転軸に横方向に設けられた所定の長さの棒状体を備え、棒状体を腹部にあて、回転駆動手段を所定の回転数で駆動させる。
【０００７】
このマッサージ装置では、腹部に棒状体を押し当てた状態にし、回転駆動手段を回転駆動させることで、腹部に外力を加えることができる。
【０００８】
即ち、このマッサージ装置では、腹部に棒状体を押し当てた状態で、回転駆動手段を回転駆動させ、腹部に外力を加えることで、消化管の運動機能改善効果を得ることができる。
【０００９】
請求項２に記載のマッサージ装置は、請求項１に記載のマッサージ装置が、棒状体に回転可能にリング体を更に備える。
【００１０】
このマッサージ装置では、棒状体にリング体を回転可能に設けているので、腹部に押し当てた状態にして、棒状体を回転させると、これに伴って、リング体が腹部上で回転する。これにより、腹部と棒状体との間に働く摩擦係数が軽減し、腹部上での棒状体の回転運動がスムーズになる。
【００１１】
請求項３に記載のマッサージ装置は、請求項１又は請求項２に記載のマッサージ装置の、回転駆動手段が高さ変更可能に支柱に取り付けられるようになっている。
【００１２】
このマッサージ装置では、支柱に回転駆動手段を高さ変更可能に取り付けられるようにしているので、異なる体型の人にも、その人自身の腹部に対する押圧力をその人自身にフィットするように、棒状体の高さを調整することができる。
【００１３】
請求項４に記載のマッサージ装置は、請求項１〜４のいずれかに記載のマッサージ装置が、棒状体の上下動を可能にする弾性体を備える。
【００１４】
このマッサージ装置では、弾性体により棒状体の上下動を可能にしているので、棒状体を腹部に押し当てた状態で、棒状体を回転させると、棒状体が、腹部の形状に応じて、上下動する。
【００１５】
これにより、このマッサージ装置を使用すれば、人がお腹をさすってくれるような、腹部に概ね同じ押圧力を与えることができ、且つ、大きな力が腹部に加えられるという事故を防ぐことができる。
【００１６】
【発明の実施の形態】
以下、本発明に係るマッサージ装置の一例を図面を参照しながら更に詳しく説明する。
【００１７】
図１は、本発明に係るマッサージ装置の一例を概略的に示す外観斜視図であり、また、図２は、図１に示すマッサージ装置の側面図を示している。
【００１８】
このマッサージ装置１は、図１及び図２に示すように、回転駆動手段２と、この回転駆動手段２の回転軸（この例では、後述する電動モータ４の回転軸４ａ）に横方向に設けられた所定の長さの棒状体３とを備える。
【００１９】
回転駆動手段２は、この例では、電動モータ４と、電動モータ４の回転軸２ａの回転速度を調整する回転速度調整装置５とを備える。
【００２０】
この例では、回転速度調整装置５として、降圧手段を用いており、商用電源の電力を所定の電圧に降圧し、電動モータ４を駆動させた際に、棒状体３が、１分間に、２３回転以上２５回転以下の範囲になるように調整している。これは、本発明者が、母親が子供の腹をさする様子を観察・分析した知見に基づく。即ち、棒状体３を１分間に２３回転以上２５回転以下の範囲にすると、ユーザは、母親に腹をさすってもらった記憶がよみがえり、リラックスすることができる。
【００２１】
尚、図１中、５ａで示す部材装置は、回転駆動手段２の駆動・停止を行なうためのスイッチ手段を示している。
【００２２】
また、このマッサージ装置１の棒状体３には、回転可能に複数のリング体６・・・が設けられている。
【００２３】
棒状体３には、その長さ方向に、複数個のスペーサ（図２に示す、スペーサ１３・・・）が固定的に設けられている。
【００２４】
複数個のスペーサ（図２に示す、スペーサ１３・・・）の各々は、所定の間隔（この例では、リング体６・・・の各々の幅よりもやや広い幅（クリアランス）を有する間隔）を隔てるように設けられている。
【００２５】
複数のリング体６・・・の各々は、複数個のスペーサ（図２に示す、スペーサ１３・・・）の各々の間隔部分に、棒状体３に回転可能に設けられている。
【００２６】
図１及び図２中、７で示す部材装置は、支持具を示している。
【００２７】
支持具７は、台座部８と台座部８に立設するように設けられた支柱９とを備える。
【００２８】
そして、この例では、回転駆動手段２が、支柱９に高さ調整可能に取り付けられるようになっている。
【００２９】
尚、図１中、９ｓで示す部分は、回転駆動手段２の高さ調整可能に設けられたアーム１１の移動を可能とするために、支柱９に設けられたスリットを示している。
【００３０】
また、図１及び図２中、１４で示す部材装置は、回転駆動手段２の高さを調整する調整つまみを示している。
【００３１】
このマッサージ装置１では、調整つまみ１４を回転させると、回転駆動手段２が上下に移動するようになっている。
【００３２】
また、図２中、１０で示す部材装置は、棒状体３の上下動を可能にする弾性体を示している。
【００３３】
このマッサージ装置１では、弾性体１０として、つる巻きバネを用いている。
【００３４】
アーム１１は、アーム本体１１ａと、その先端部から上下に突出するように設けられた軸体１１ｂ、１１ｂとを備える。
【００３５】
そして、軸体１１ｂ、１１ｂの各々には、弾性体（この例では、つる巻きバネ）１０、１０が、取り付けられている。
【００３６】
また、１２、１２で示す部材は、回転駆動手段２をアーム１１に取り付けるための取り付具を示している。
【００３７】
取り付具１２、１２の各々は、回転駆動手段２に固定的に取り付けられている。
【００３８】
この取り付具１２、１２の各々には、アーム１１の軸体１１ｂ、１１ｂの各々を挿通する挿通孔ｈ１２、ｈ１２が設けられている。
【００３９】
そして、回転駆動手段２は、弾性体（この例では、つる巻きバネ）を取り付けた軸体１１ｂ、１１ｂの各々を、取り付具１２、１２の挿通孔ｈ１２、ｈ１２の各々を挿通するようにして、支柱９に取り付けられている。
【００４０】
次に、このマッサージ装置１の高さ調整機構について説明する。
【００４１】
図３は、マッサージ装置１の構成を概略的に示す一部切欠き断面図である。
【００４２】
このマッサージ装置１では、支柱９内に、ネジを形成した回転軸１５が回転可能に収容されている。
【００４３】
この回転軸１５は、調整つまみ１４を回転させると回転するようになっている。
【００４４】
アーム１１のアーム本体部１１ａは、その端部に、回転軸１５を螺合する螺合孔ｈ１１を有する。
【００４５】
アーム本体部１１ａの端部に設けられた螺合孔ｈ１１内には、ネジが切られており、ネジが形成された回転軸１５に螺合されている。
【００４６】
また、アーム本体部１１ａは、スリット９ｓを通じて外部に露呈している。
【００４７】
次に、このマッサージ装置１の回転駆動手段２の高さ調整方法について説明する。
【００４８】
このマッサージ装置１の回転駆動手段２の高さを調整する際には、一方向に調整つまみ１４を回転させる。すると、調整つまみ１４の回転動作により、回転軸１５が回転する。
【００４９】
回転軸１５の回転運動に伴って生じる、アーム本体部１１ａの回転運動は、スリット９ｓにより規制される。
【００５０】
その結果、ユーザが、調整つまみ１４を、１方向に回転させると、アーム本体部１１ａは、回転軸１５を一方向に向かって螺進し、また、ユーザが、調整つまみ１４を、１方向と逆方向に回転させると、アーム本体部１１ａは、回転軸１５を一方向とは逆方向に向かって螺進する。
【００５１】
この結果、このマッサージ装置１では、ユーザが、調整つまみ１４を、回転させることで、回転駆動手段２の高さを調整することができる。
【００５２】
次に、マッサージ装置１の使用方法の一例を説明する。
【００５３】
図４は、このマッサージ装置１の使用例を例示的に説明する使用状態説明図である。
【００５４】
まず、マッサージ装置１に電源を供給する。
【００５５】
このマッサージ装置１を使用する際には、図３に示すように、このマッサージ装置１を使用する者（ユーザ）は、仰向けに横臥する。
【００５６】
次に、ユーザは、調整つまみ１４を回転させて、棒状体３の高さを、その人自身にフィットする高さに調整する。また、ユーザは、棒状体３が自己の腹部（肋骨の下端部と骨盤の間の位置、又は回転軸１５が概ねへその位置に来る位置）で回転するようにマッサージ装置１に対する自分の位置を調整する。
【００５７】
次に、スイッチ５ａをオンにする。
【００５８】
そして、ユーザは、棒状体３を腹部に押し当てた状態にして、回転駆動手段２の棒状体３を所定の回転数で駆動させる。
【００５９】
このマッサージ装置１では、腹部に棒状体３を押し当てた状態にし、回転駆動手段２を回転駆動させることで、腹部に外力を加えることができる。
【００６０】
このマッサージ装置１では、腹部に棒状体３を押し当てた状態で、回転駆動手段２を回転駆動させ、腹部に外力を加えることで、消化管の運動機能改善効果を得ることができる。
【００６１】
また、このマッサージ装置１では、棒状体３にリング体６・・・を回転可能に設けているので、腹部に押し当てた状態にして、棒状体３を回転させると、これに伴って、リング体６・・・が腹部上で回転する。これにより、腹部と棒状体３との間に働く摩擦係数が軽減し、腹部上での棒状体の回転運動がスムーズになる。
【００６２】
また、このマッサージ装置１では、支柱９に回転駆動手段２を高さ変更可能に取り付けられるようにしているので、異なる体型の人にも、その人自身の腹部に対する押圧力をその人自身にフィットするように、棒状体の高さを調整することができる。
【００６３】
また、このマッサージ装置１では、弾性体１０、１０により棒状体３の上下動を可能にしているので、棒状体３を腹部に押し当てた状態で、棒状体３を回転させると、棒状体３が、腹部の形状に応じて、上下動する。
【００６４】
これにより、このマッサージ装置１を使用すれば、人がお腹をさすってくれるような、腹部に概ね同じ押圧力を与えることができ、且つ、大きな力が腹部に加えられるという事故を防ぐことができる。
【００６５】
【発明の効果】
以上、詳細に説明したように、請求項１に記載のマッサージ装置では、腹部に棒状体を押し当てた状態にし、回転駆動手段を回転駆動させることで、腹部に外力を加えることができる。即ち、このマッサージ装置では、腹部に棒状体を押し当てた状態で、回転駆動手段を回転駆動させ、腹部に外力を加えることで、消化管の運動機能改善効果を得ることができる。
【００６６】
請求項２に記載のマッサージ装置では、棒状体にリング体を回転可能に設けているので、腹部に押し当てた状態にして、棒状体を回転させると、これに伴って、リング体が腹部上で回転する。これにより、腹部と棒状体との間に働く摩擦係数が軽減し、腹部上での棒状体の回転運動がスムーズになる。
【００６７】
請求項３に記載のマッサージ装置では、支柱に回転駆動手段を高さ変更可能に取り付けられるようにしているので、異なる体型の人にも、その人自身の腹部に対する押圧力をその人自身にフィットするように、棒状体の高さを調整することができる。
【００６８】
請求項４に記載のマッサージ装置では、弾性体により棒状体の上下動を可能にしているので、棒状体を腹部に押し当てた状態で、棒状体を回転させると、棒状体が、腹部の形状に応じて、上下動する。これにより、このマッサージ装置を使用すれば、人がお腹をさすってくれるような、腹部に概ね同じ押圧力を与えることができ、且つ、大きな力が腹部に加えられるという事故を防ぐことができる。
【図面の簡単な説明】
【図１】本発明に係るマッサージ装置の一例を概略的に示す外観斜視図である。
【符号の説明】
１  マッサージ装置
２  回転駆動手段
３  棒状体
４  電動モータ
４ａ  回転軸
５  回転速度調整装置
５ａ  スイッチ手段
６  リング体
７  部材装置
８  台座部
９  支柱
９ｓ  スリット
１０  弾性体
１１  アーム
１１ａ  アーム本体
１１ｂ  軸体
１２  取り付具
１３  スペーサ
１４  調整つまみ
１５  回転軸
ｈ１１  螺合孔
ｈ１２  挿通孔
【図１】
2004180863.tif 000003
【図２】
2004180863.tif 000004
【図３】
2004180863.tif 000005
【図４】
2004180863.tif 000006
【手続補正書】
【提出日】平成14年12月6日(2002.12.6)
【手続補正１】
【補正対象書類名】明細書
【補正対象項目名】０００３
【補正方法】変更
【補正の内容】
【０００３】
【発明が解決しようとする課題】
しかしながら、従来のマッサージ装置は、筋肉の凝りをとることを主眼にしており、本発明者の知る限り、消化管の機能改善を首目的にしているものがないという問題がある。


【手続補正２】
【補正対象書類名】明細書
【補正対象項目名】図面の簡単な説明
【補正方法】変更
【補正の内容】
【図面の簡単な説明】
【図１】本発明に係るマッサージ装置の一例を概略的に示す外観斜視図である。
【図２】図１に示すマッサージ装置の側面図を示している。
【図３】図１に示すマッサージ装置の構成を概略的に示す一部切欠き断面図である。
【図４】図１に示すマッサージ装置の使用例を例示的に説明する使用状態説明図である。




【手続補正書】
【提出日】平成15年1月21日(2003.1.21)
【手続補正１】
【補正対象書類名】明細書
【補正対象項目名】符号の説明
【補正方法】追加
【補正の内容】
【符号の説明】
１    マッサージ装置
２  回転駆動手段
３  棒状体
４  電動モータ
４ａ  回転軸
５  回転速度調整装置
５ａ  スイッチ手段
６  リング体
７  部材装置
８  台座部
９  支柱
９ｓ  スリット
１０  弾性体
１１  アーム
１１ａ  アーム本体
１１ｂ  軸体
１２  取り付具
１３  スペーサ
１４  調整つまみ
１５  回転軸
ｈ１１  螺合孔
ｈ１２  挿通孔